(57)【要約】【課題】表示制御装置から出力装置に対して通信を行うことなく、縮小画像を拡大表示することを抑制することを可能とする表示制御装置を提供する。【解決手段】本発明の表示制御装置は、入力画像を含む入力画像信号を取得する入力手段と、画像の解像感を低下させる処理を含む第１の画像処理が前記入力画像に施されているか否かを判定する判定手段と、前記入力画像に前記第１の画像処理が施されていると前記判定手段が判定した場合に、ユーザへ通知を行う通知手段と、を備えることを特徴とする。【選択図】図２
2019124832.tif 000002
【特許請求の範囲】
【請求項１】
入力画像を含む入力画像信号を取得する入力手段と、
画像の解像感を低下させる処理を含む第１の画像処理が前記入力画像に施されているか否かを判定する判定手段と、
前記入力画像に前記第１の画像処理が施されていると前記判定手段が判定した場合に、ユーザへ通知を行う通知手段と、
を備える、
ことを特徴とする表示制御装置。
【請求項２】
前記入力画像に対する処理指示が入力される指示手段をさらに備え、
前記通知手段は、前記入力画像に前記第１の画像処理が施されていると前記判定手段が判定し、かつ、前記指示手段に所定の処理指示が入力された場合に、ユーザへ通知を行う、
ことを特徴とする請求項１に記載の表示制御装置。
【請求項３】
前記所定の処理指示は前記入力画像の拡大表示を行うための指示である、
ことを特徴とする請求項２に記載の表示制御装置。
【請求項４】
前記所定の処理指示は前記入力画像の輪郭部分の強調表示を行うための指示である、
ことを特徴とする請求項２に記載の表示制御装置。
【請求項５】
前記判定手段は、前記第１の画像処理が施されているか否かを示す、前記入力画像信号に付加された情報に基づき前記判定を行う、
ことを特徴とする請求項１から４のいずれか１項に記載の表示制御装置。
【請求項６】
前記第１の画像処理が施されていないと前記判定手段が判定した場合に、前記入力画像に第２の画像処理を施す画像処理手段を、さらに備える、
ことを特徴とする請求項１から５のいずれか１項に記載の表示制御装置。
【請求項７】
前記第１の画像処理、および前記第２の画像処理は、画像の伸張を含む処理である、
ことを特徴とする請求項６に記載の表示制御装置。
【請求項８】
前記画像処理手段は、前記入力画像信号に付加された前記伸張の倍率情報に基づき、前記入力画像の前記伸張を行う、
ことを特徴とする請求項７に記載の表示制御装置。
【請求項９】
前記判定手段は、
前記入力画像が、撮影画像を縦方向または横方向に伸張した後に解像度の低下させた画像であれば、前記第１の画像処理が前記入力画像に施されていると判定する、
ことを特徴とする請求項１から８のいずれか１項に記載の表示制御装置。
【請求項１０】
前記撮影画像は、アナモフィックレンズを用いて撮影した画像である、
ことを特徴とする請求項９に記載の表示制御装置。
【請求項１１】
請求項１から１０のいずれか１項に記載の表示制御装置と、
画像を表示する表示手段と、
を備え、
前記通知手段は、前記入力画像に前記第１の画像処理が施されていることを示す通知画像を含む画像を生成し、
前記表示手段は前記通知手段が生成した画像を表示する、
ことを特徴とする画像表示装置。
【請求項１２】
前記入力画像に対する処理指示が入力される指示手段と、
前記処理指示に基づいた処理を前記入力画像に施す画像制御手段と、
をさらに備え、
前記通知手段は、前記処理指示に基づいた処理が施された前記入力画像と前記通知画像とを含む画像を生成する、
ことを特徴とする請求項１１に記載の画像表示装置。
【請求項１３】
入力画像を入力する入力手段と、
ユーザの指示に応じて、前記入力画像の一部の領域を拡大する拡大処理および前記入力画像の高周波成分を強調する強調処理の少なくとも一方を実行する処理手段と、
前記入力画像に基づく表示画像を表示装置に出力する出力手段と、
前記入力画像が所定の種類の画像である場合に、前記拡大処理および前記強調処理の少なくと一方を実行することをユーザが指示したことに応じて、所定の通知を行う通知手段と、
を備える、
ことを特徴とする表示制御装置。
【請求項１４】
前記通知手段は、前記入力画像が、縮小処理を施された画像である場合に、前記拡大処理および前記強調処理の少なくとも一方を実行することをユーザが指示したことに応じて、前記所定の通知を行う、
ことを特徴とする請求項１３に記載の表示制御装置。
【請求項１５】
前記入力手段は、被写体を撮影して得られた画像を出力する撮像装置と接続し、前記撮像装置から前記入力画像を入力し、
前記通知手段は、前記入力画像が、前記撮像装置がアナモフィックレンズを用いて撮影して得られた画像にアスペクト比を変更する処理を施して得られた画像である場合に、前記拡大処理および前記強調処理の少なくとも一方を実行することをユーザが指示したことに応じて、前記所定の通知を行う、
ことを特徴とする請求項１３に記載の表示制御装置。
【請求項１６】
前記所定の通知は、前記拡大処理および前記強調処理のうちユーザが実行を指示した少なくとも一方の処理の実行の要否をユーザが選択可能なグラフィカルユーザインターフェース画像を前記表示画像に重畳して前記表示装置に出力するものであって、
ユーザが当該処理を実行することを選択した場合に、前記処理手段は、当該処理を実行し、
ユーザが当該処理を実行しないことを選択した場合に、前記処理手段は、当該処理を実行しない、
ことを特徴とする請求項１３から請求項１５のいずれか１項に記載の表示制御装置。
【請求項１７】
入力画像を含む入力画像信号を取得する入力工程と、
画像の解像感を低下させる処理を含む第１の画像処理が前記入力画像に施されているか否かを判定する判定工程と、
前記入力画像に前記第１の画像処理が施されていると前記判定工程が判定した場合に、ユーザへ通知を行う通知工程と、
を含む、
ことを特徴とする表示制御方法。
【請求項１８】
入力画像を入力する入力工程と、
ユーザの指示に応じて、前記入力画像の一部の領域を拡大する拡大処理および前記入力画像の高周波成分を強調する強調処理の少なくとも一方を実行する処理工程と、
前記入力画像に基づく表示画像を表示装置に出力する出力工程と、
前記入力画像が所定の種類の画像である場合に、前記拡大処理および前記強調処理の少なくと一方を実行することをユーザが指示したことに応じて、所定の通知を行う通知工程と、
を含む、
ことを特徴とする表示制御方法。
【請求項１９】
請求項１７または１８に記載の方法の各工程をコンピュータに実行させるためのプログラム。
【請求項２０】
請求項１７または１８に記載の方法の各工程をコンピュータに実行させるためのプログラムを格納し、コンピュータが読出し可能な記憶媒体。
【発明の詳細な説明】
【技術分野】
【０００１】
本発明は、表示制御装置、表示制御方法、画像表示装置、プログラムおよび記憶媒体に関するものである。
【背景技術】
【０００２】
映画撮影では、画像用フォーマットにおいて、主にアスペクト比２．３９：１の横長画像であるシネマスコープ（以下、シネスコ）画像を撮影する為に、アナモフィックレンズを使用する場合がある。
【０００３】
アナモフィックレンズで撮影された画像（以下、アナモ画像）は、使用するレンズのスクイーズ倍率（画像を収縮する倍率）に応じて、横方向に１／１．３３倍、または１／２倍にスクイーズ（収縮）された歪曲した画像である。このように光学的に画像を圧縮することにより、センサが取得可能な画像の画角よりも横長の画角の画像を得ることが可能となる。アナモ画像は、使用したアナモフィックレンズのスクイーズ倍率に応じて横方向に１．３３倍、または２倍にデスクイーズ（伸張）処理することにより、シネスコ画像を得ることができる。
【０００４】
撮像装置は、アナモ画像もしくはアナモ画像にデスクイーズ処理を施したシネスコ画像を、表示装置等の外部装置に出力することが可能である。シネスコ画像は、画像の伝送規格で規定された画像の解像度に比べて、横長画像である場合が多い。そのため、撮像装置は、デスクイーズ処理後の画像を縮小（解像度の低下）し、上下に黒帯を追加したレターボックス画像として出力する。すなわち、出力されたレターボックス画像におけるシネスコ画像の領域の解像度は、デスクイーズ処理により得られたシネスコ画像（元画像）の解像度よりも低くなる。
【０００５】
一方で、画像を拡大して表示する拡大表示機能を有する表示装置がある。拡大表示機能を利用し、画像中の被写体を拡大表示して、フォーカス（合焦状態）の確認を行うことがある。上述したように、本来の画像（シネスコ画像）の解像度よりも、解像度が低下した画像（レターボックス画像）に対して拡大表示機能を用いて画像の一部の領域を表示すると、本来の画像におけるフォーカスを適切に確認することができない場合があった。
【０００６】
特許文献１の画像表示装置は、元画像を端末装置の解像度に合わせて縮小処理して、端末装置に送信するものであって、端末装置が縮小された画像の拡大表示を行う場合に、拡大表示する領域に対応した元画像の部分から拡大画像を生成して端末装置に出力する。これにより、端末装置は、縮小処理が施された画像を拡大して表示するのではなく、元画像から生成された解像度の高い拡大画像を確認することができる。
【先行技術文献】
【特許文献】
【０００７】
【特許文献１】特開２００６−１３８７５号公報
【発明の概要】
【発明が解決しようとする課題】
【０００８】
しかし、特許文献１の画像表示装置は、端末装置の拡大処理のパラメータに基づいて、画像表示装置が拡大画像を生成することから、端末装置（表示制御装置）から画像表示装置（出力装置）への通信が必要となる。一方で、撮像装置等の出力装置は、表示制御装置からの信号を受信することができない場合がある。この場合、特許文献１の方法で、縮小
画像を拡大表示することを抑制することが困難である。
【０００９】
そこで本発明では、表示制御装置から出力装置に対して通信を行うことなく、縮小画像を拡大表示することを抑制することを可能とする表示制御装置を提供することを目的とする。
【課題を解決するための手段】
【００１０】
本発明の第１様態は、
入力画像を含む入力画像信号を取得する入力手段と、
画像の解像感を低下させる処理を含む第１の画像処理が前記入力画像に施されているか否かを判定する判定手段と、
前記入力画像に前記第１の画像処理が施されていると前記判定手段が判定した場合に、ユーザへ通知を行う通知手段と、
を備える、
ことを特徴とする表示制御装置である。
【００１１】
本発明の第２様態は、
入力画像を含む入力画像信号を取得する入力工程と、
画像の解像感を低下させる処理を含む第１の画像処理が前記入力画像に施されているか否かを判定する判定工程と、
前記入力画像に前記第１の画像処理が施されていると前記判定工程が判定した場合に、ユーザへ通知を行う通知工程と、
を含む、
ことを特徴とする表示制御方法である。
【００１２】
本発明の第３様態は、
入力画像を入力する入力手段と、
ユーザの指示に応じて、前記入力画像の一部の領域を拡大する拡大処理および前記入力画像の高周波成分を強調する強調処理の少なくとも一方を実行する処理手段と、
前記入力画像に基づく表示画像を表示装置に出力する出力手段と、
前記入力画像が所定の種類の画像である場合に、前記拡大処理および前記強調処理の少なくと一方を実行することをユーザが指示したことに応じて、所定の通知を行う通知手段と、
を備える、
ことを特徴とする表示制御装置である。
【００１３】
本発明の第４様態は、
入力画像を入力する入力工程と、
ユーザの指示に応じて、前記入力画像の一部の領域を拡大する拡大処理および前記入力画像の高周波成分を強調する強調処理の少なくとも一方を実行する処理工程と、
前記入力画像に基づく表示画像を表示装置に出力する出力工程と、
前記入力画像が所定の種類の画像である場合に、前記拡大処理および前記強調処理の少なくと一方を実行することをユーザが指示したことに応じて、所定の通知を行う通知工程と、
を含む、
ことを特徴とする表示制御方法である。
【発明の効果】
【００１４】
本発明によれば、表示制御装置から出力装置に対して通信を行うことなく、縮小画像を拡大表示することを抑制することを可能とする。
【図面の簡単な説明】
【００１５】
【図１】実施形態１に係る撮像装置と画像表示装置の接続の概略図
【図２】実施形態１に係る画像表示装置の構成図
【図３】実施形態１に係るデスクイーズ後の画像のトリミングの例を示す図
【図４】実施形態１に係る通知表示時に画像に重畳する例を示す図
【図５】実施形態１に係る画像表示装置の動作フローチャート
【図６】変形例３に係る画像表示装置の構成図
【図７】変形例５に係るＧＵＩ画像の表示を示す図
【図８】変形例５に係る画像表示装置の動作フローチャート
【発明を実施するための形態】
【００１６】
以下に、本発明の好ましい実施の形態を図面を用いて例示的に詳しく説明する。但し、実施形態に記載されている構成の機能などは、特定の記載がない限り、本発明の範囲をそれらのみに限定する趣旨のものではない。
【００１７】
＜実施形態１＞
実施形態１は、入力された画像がデスクイーズ処理と縮小処理（解像度低下）をされている場合に、その画像に対し拡大表示を行う指示が入力されると、ユーザへ通知を行う画像表示装置である。
【００１８】
図１は、本実施形態に係る概略図である。実施形態１は、図１に示すように撮像装置１０１から出力される画像信号が、伝送路１０３を介して入力され、画像信号に基づいて画像を表示する画像表示装置１００について説明する。画像表示装置１００は、画像信号に重畳された付加情報から判定される入力画像の種類と、画像表示装置の使用用途に応じて、使用者へ通知（警告）を行う。ここで、撮像装置１０１は大判撮像素子を搭載したレンズ交換可能な撮像装置であり、スクイーズ（収縮）倍率が横方向に１／１．３３倍のアナモフィックレンズ１０２を装着する。
【００１９】
伝送路１０３は、撮像装置１０１の撮影画像を伝送するものである。伝送路１０３は、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）により規格化されたＳＤＩ（Ｓｅｒｉａｌ  Ｄｉｇｉｔａｌ  Ｉｎｔｅｒｆａｃｅ）伝送仕様に準拠した伝送を行うものとする。ただし、これに限らずＥｔｈｅｒｎｅｔやＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）を伝送路として用いた場合でも、無線通信を用いた場合でも本実施形態は実現可能である。なお、本実施形態では、撮像装置１０１から直接、伝送路１０３を介して撮影画像が伝送されるものとするが、これに限らず、例えば、クラウドに一度保存された撮影画像がインターネットを通じて画像表示装置１００へ伝送されてもよい。
【００２０】
撮像装置１０１は、アナモ画像に対して、装着するレンズのスクイーズ倍率に応じたデスクイーズ処理（伸張処理）を行う機能を持つ。また、デスクイーズ処理により、アナモ画像のアスペクト比も変更される。撮像装置１０１のデスクイーズ処理機能は、デスクイーズ処理後のシネスコ画像を、図示しないＥＶＦの解像度や、伝送路１０３を伝送する画像の解像度に応じて縮小処理をし、上下に黒帯を追加したレターボックス画像として出力するものである。これにより、ＥＶＦや画像表示装置１００にて歪曲していないアナモ画像を確認することができる。なお、縮小処理により画像の解像感が低下する。すなわち、画像の縮小処理は画像の解像感を低下させる処理の一例である。
【００２１】
また、撮像装置１０１は、アナモフィックレンズを使用した被写体の撮影時において、
伝送路１０３を伝送する画像信号に以下、２つの付加情報を重畳できるものとする。ひとつは、装着するアナモフィックレンズのスクイーズ倍率を示す情報である。もうひとつは、デスクイーズ処理が実施されたか否かを示すデスクイーズ処理情報である。これらの付加情報は、伝送路１０３を伝送する画像信号を、図示しない外部収録装置に保存する場合において、撮影後の編集作業時に有効な情報である。なお、アナモフィックレンズを用いて撮影されていない場合は、デスクイーズ処理情報は画像信号に付加されても付加されなくてもよく、付加される場合はデスクイーズが実施されていないことを示す情報が付加される。また、アナモフィックレンズを用いて撮影されていない場合は、スクイーズ倍率を示す情報は画像信号に付加されない。
【００２２】
本実施形態では、付加情報をアンシラリデータとしてＳＤＩ伝送仕様のアンシラリ領域に格納することで画像信号に重畳（付加）するものとする。ここで、アンシラリ領域はＳＤＩ伝送仕様で規定されており、画像信号の伝送仕様や伝送する画像の素性を示す情報が格納される。アンシラリ領域には、伝送する画像のサンプリング構造、ピクセル深度、フレームレート、タイムコード、信号種別、マッピング形式、音声情報、リンク種別などの情報が格納される。また、アンシラリ領域には、画像伝送機器の製造者が任意の情報を格納できる領域があり、本実施形態では当該領域に付加情報を格納する。
【００２３】
（構成の説明）
図２は、本発明の実施形態１に係る画像表示装置１００の概略構成図である。画像表示装置１００は表示制御装置２００と表示制御部２０９、表示部２１０を有する。また、表示制御装置２００は、ＩＦ部２０１、付加情報抽出部２０２、処理判定部２０３、画像処理部２０４、処理指示部２０５、指示制御部２０６、通知表示判定部２０７、画像制御部２０８を有する。なお、本実施形態では、画像表示装置１００が表示制御装置２００と表示制御部２０９と表示部２１０を有する構成であるが、表示制御部２０９と表示部２１０とを有する表示装置と表示制御装置２００が別個に存在し互いに通信している構成でもよい。
【００２４】
ＩＦ部２０１は、入力ＩＦ（Ｉｎｔｅｒｆａｃｅ）である。ＩＦ部２０１は、ＳＤＩ伝送仕様で構成される伝送路１０３を介し接続された撮像装置１０１から入力される画像信号を取得し、その入力画像信号にデコード処理をする。ＩＦ部２０１は、入力画像信号から入力画像と付加されたアンシラリデータを付加情報抽出部２０２へ出力する。
【００２５】
付加情報抽出部２０２は、ＩＦ部２０１から入力されたアンシラリデータから、デスクイーズ処理情報とスクイーズ倍率情報とを抽出する。そして、デスクイーズ処理情報およびスクイーズ倍率情報を、処理情報および倍率情報として処理判定部２０３へ出力する。また、付加情報抽出部２０２は、入力画像を画像処理部２０４へ出力する。
【００２６】
処理判定部２０３は、付加情報抽出部２０２から入力された処理情報、倍率情報を基に、以下の判定処理をする。まず、処理判定部２０３は、入力画像が「撮像装置１０１にてデスクイーズ処理されたアナモ画像」か否かを処理情報に基づき判定する。具体的には、処理情報がデスクイーズ済みであることを示せば、入力画像は「デスクイーズ処理されたアナモ画像」であると判定される。処理情報がデスクイーズ済みであることを示さない、もしくは付加されていなければ、入力画像は「デスクイーズ処理されていない画像」であると判定される。入力画像が「デスクイーズ処理されたアナモ画像」である場合は、処理判定部２０３は、処理完了情報を通知表示判定部２０７へ出力する。また、処理判定部２０３は、入力画像にデスクイーズ処理がされているか否かを、処理情報に基づいて判定する必要はなく、例えば、入力画像の上下の黒帯の範囲などから判定してもよい。
【００２７】
次に、処理判定部２０３は、「デスクイーズ処理されていない画像」であると判定され
た入力画像が、「デスクイーズ処理されていないアナモ画像」か否かの判定を行う。この判定は、倍率情報にアナモフィックレンズ１０２のスクイーズ倍率の情報が有るか否かで判定される。具体的には、倍率情報にスクイーズ倍率の情報が有る場合は、入力画像は「デスクイーズ処理されていないアナモ画像」であると判定され、スクイーズ倍率の情報が無い場合は、「アナモフィックレンズを用いて撮影されていない画像」であると判定される。入力画像が「デスクイーズ処理されていないアナモ画像」である場合は、倍率情報に含まれるスクイーズ倍率を画像処理部２０４へ出力する。なお、入力画像が「アナモフィックレンズを用いて撮影されていない画像」である場合は、処理完了情報、およびスクイーズ倍率の出力は行われない。
【００２８】
画像処理部２０４は、処理判定部２０３からスクイーズ倍率が入力された場合において、スクイーズ倍率を基に、入力画像にデスクイーズ処理を施す。ただし、本実施形態においては、撮像装置１０１にてデスクイーズ処理された入力画像に対して通知を行うことを目的としているため、画像処理部２０４による入力画像のデスクイーズ処理は必須の構成ではない。
【００２９】
デスクイーズ処理は、画像を横方向（水平方向）へスクイーズ倍率の逆数倍するものである。一例として、画像の解像度が４０９６×２１６０であって、スクイーズ倍率が１／１．３３倍である場合におけるデスクイーズ処理について説明する。ここでは、画像の解像度の４０９６×２１６０に対し、横方向に伸張するようにスクイーズ倍率の逆数１．３３を乗算する。よって、図３の画像３００のように、デスクイーズ処理後の画像の解像度は５４４８×２１６０となる。このときデスクイーズ処理後の画像は、シネスコ画像よりもアスペクト比が大きい。この場合は、図３に示すようにデスクイーズ処理後の画像３００から斜線部で示すアスペクト比２．３９：１となるシネスコ画像３０１にトリミングする。そして、画像処理部２０４は、デスクイーズ処理およびトリミングを施した入力画像を画像制御部２０８へ出力する。尚、処理判定部２０３からスクイーズ倍率の入力が無い場合は、画像処理部２０４は、入力画像にデスクイーズ処理を施さず、画像制御部２０８へ出力する。なお、本実施形態では、画像を横方向にデスクイーズ処理するものとするが、縦方向（垂直）にデスクイーズ処理する場合でも同様に実施することができる。
【００３０】
処理指示部２０５は、拡大表示機能の実行、停止や拡大領域などのフォーカス確認に関わる拡大表示機能に係る処理指示、その他の明るさ調整や色彩調整などの処理指示を入力する操作パネル（不図示）を持つ。操作パネルは画像表示装置１００の外装に設置される。処理指示部２０５は、ユーザから操作パネルを介して入力された処理指示を示す操作情報を指示制御部２０６へ出力する。なお、処理指示の入力は操作パネルに限らず、例えば、スマートフォンや外部サーバなどが入力してもよい。
【００３１】
指示制御部２０６は、処理指示部２０５から入力される操作情報を基に、拡大制御情報を生成し、画像制御部２０８へ出力する。ここで拡大制御情報は、拡大表示の実施または停止、及び拡大領域を示す情報である。また、指示制御部２０６は、処理指示部２０５から拡大表示の実施（拡大処理）を指示する操作情報が入力された場合は、拡大表示情報を通知表示判定部２０７へ出力する。
【００３２】
通知表示判定部２０７は、処理判定部２０３から処理完了情報と、指示制御部２０６から拡大表示情報が入力された場合に、通知表示の実施を指示する通知指示情報を画像制御部２０８へ出力する。つまり、拡大表示の実施が指示された場合は、画像表示装置１００の使用用途をピント確認であると判定し、撮像装置１０１にてデスクイーズ処理されたアナモ画像でのピント確認に対する通知（警告）を行う。なお、通知表示判定部２０７は、拡大表示情報が入力されたか否かに関わらず、処理完了情報が入力されていれば通知指示情報を出力してもよい。つまり、入力画像にデスクイーズ処理がされていれば、画像表示
装置は通知を行うことになる。
【００３３】
画像制御部２０８は、指示制御部２０６から拡大制御情報が入力された場合、拡大制御情報を基に入力画像の一部の領域の拡大処理を施す。そして、拡大処理を施した入力画像を表示制御部２０９へ出力する。このとき、画像制御部２０８が出力する入力画像の拡大表示する領域の解像度は、表示部２１０の表示解像度に等しいものとする。つまり、拡大処理を施す場合は、画像制御部２０８は、入力画像の拡大表示する部分の解像度を表示部２１０の表示解像度と等しくする処理を行う。
【００３４】
さらに、画像制御部２０８は、通知表示判定部２０７から通知指示情報が入力された場合、通知を示す画像を、ＯＳＤ（Ｏｎ  Ｓｃｒｅｅｎ  Ｄｉｓｐｌａｙ）により入力画像に重畳する。このとき、通知表示判定部２０７から通知指示情報が入力される場合は、指示制御部２０６から拡大制御情報も入力されているので、拡大処理を施した入力画像に通知画像が重畳された画像が生成される。ここで、図４は入力画像に重畳する通知画像の例である。図４における通知画像は、「アナモフィックレンズ使用中である」、「カメラでデスクイーズ処理されている」、そして「カメラでのデスクイーズ処理の停止」を促す通知画像としている。なお、本実施形態では、通知画像によりユーザへの通知を実施するが、その限りではなく、例えば音声を発生させて通知してもよい。
【００３５】
また、画像制御部２０８は、指示制御部２０６から拡大制御情報、通知表示判定部２０７から通知指示情報の入力が無い場合は、入力画像に応じて、必要であればレターボックス処理を施す。画像制御部２０８は、入力画像の解像度を表示部２１０の表示解像度に合わせて表示制御部２０９へ出力する。尚、画像制御部２０８は、その他、一般的な画像処理も施す。この画像処理の詳細については、本発明の趣旨でないため省略する。
【００３６】
表示制御部２０９は、上述の処理がされた入力画像を基に、表示部２１０を制御する。
【００３７】
表示部２１０は、表示制御部２０９からの制御によって、入力画像を表示する。なお、通知を行う場合は、通知画像が重畳された入力画像（表示画像）が表示される。
【００３８】
（動作の説明）
次に、図５を用いて本実施形態における画像表示装置１００の動作について説明する。まず、付加情報抽出部２０２が、ＩＦ部２０１から入力されたアンシラリデータからデスクイーズ処理情報と、スクイーズ倍率情報とを抽出し、抽出結果を処理情報、倍率情報として、処理判定部２０３へ出力する（Ｓ５００）。
【００３９】
次に、処理判定部２０３が付加情報抽出部２０２から入力された処理情報を基に、入力画像が撮像装置１０１にてデスクイーズ処理されたアナモ画像か否かを判定する（Ｓ５０１）。
【００４０】
撮像装置１０１にてデスクイーズ処理されたアナモ画像である場合は、処理完了情報を通知表示判定部２０７へ出力する（Ｓ５０２）。
【００４１】
次に、指示制御部２０６は、処理指示部２０５から拡大表示を指示する操作情報が入力されたか否かを判定する（Ｓ５０３）。拡大表示を指示する操作情報が入力されない場合は、表示部２１０は入力画像を通常サイズで表示する（Ｓ５１０）。Ｓ５０３において、拡大表示を指示する操作情報が入力された場合は、画像制御部２０８へ拡大制御情報を、通知表示判定部２０７へ拡大表示情報を出力する。
【００４２】
そして、画像制御部２０８は拡大制御情報に基づいて入力画像に拡大処理を施し、表示
制御部２０９へ出力する（Ｓ５０４）。続けて、表示制御部２０９が入力画像に基づいて表示部２１０を制御し、画像を表示する（Ｓ５０４）。一方で、通知表示判定部２０７は、処理判定部２０３から処理完了情報、かつ指示制御部２０６から拡大表示情報を入力した場合に、画像制御部２０８へ通知指示情報を出力する。
【００４３】
画像制御部２０８は通知表示判定部２０７から通知指示情報を入力した場合、図４に示す通知画像４００を、拡大処理を施した入力画像に重畳し、表示制御部２０９へ出力する（Ｓ５０５）。そして、表示制御部２０９が入力画像に基づいて表示部２１０を制御し、入力画像を表示し、動作を終了する（Ｓ５０５）。なお、Ｓ５０４での拡大処理された画像の表示と、Ｓ５０５での拡大処理を施した入力画像に通知画像４００を重畳した画像の表示は、Ｓ５０４とＳ５０５との時間間隔を最小限として行われることが望ましい。
【００４４】
Ｓ５０１において、入力画像が撮像装置１０１にてデスクイーズ処理されたアナモ画像でない場合は、付加情報抽出部２０２から入力された倍率情報にスクイーズ倍率の情報が有るか否かを判定する（Ｓ５０６）。スクイーズ倍率の情報が有る場合は、デスクイーズ処理されていないアナモ画像であるとし、処理判定部２０３はスクイーズ倍率を画像処理部２０４へ出力する。
【００４５】
そして、画像処理部２０４は、入力画像を、処理判定部２０３から入力されたスクイーズ倍率に基づいてデスクイーズ処理を施す（Ｓ５０７）。
【００４６】
また、Ｓ５０６において、付加情報抽出部２０２から入力された倍率情報に、スクイーズ倍率の情報が無い場合は、Ｓ５０８へ遷移する。
【００４７】
次に、Ｓ５０３と同様に、指示制御部２０６が、処理指示部２０５から拡大表示を指示する操作情報が入力されたか否かを判定する（Ｓ５０８）。拡大表示を指示する操作情報を入力しない場合は、表示部２１０は入力画像を通常サイズで表示する（Ｓ５１０）。拡大表示を指示する操作情報を入力された場合は、画像制御部２０８へ拡大制御情報を、通知表示判定部２０７へ拡大表示情報を出力する。
【００４８】
画像制御部２０８は画像処理部２０４から入力された画像を拡大制御情報に基づいて拡大処理を施し、表示制御部２０９へ出力する（Ｓ５０９）。そして、表示制御部２０９が画像制御部２０８から入力された画像に基づいて表示部２１０を制御し、画像制御部２０８から入力された画像を表示して、動作を終了する（Ｓ５０９）。
【００４９】
（効果）
以上で説明した実施形態１によれば、画像表示装置に入力される画像が撮像装置にてデスクイーズ処理されたアナモ画像である場合において、拡大表示の指示があったら、通知表示を行う。これより、撮像装置と片方向通信で接続されている画像表示装置においても、入力画像が解像度低下されている画像であるか分かるため、ピンボケを見落とす可能性のある画像でのピント確認を防ぎ、ピンボケの見逃しを軽減することができる。
【００５０】
（変形例１）
実施形態１では、入力画像に縮小（解像度低下）処理が施されており、処理指示部から拡大表示の指示があった場合に、通知表示を行う例を示した。しかし、拡大表示に限らず、所定の指示たとえば輪郭強調表示の指示がある場合においても適用できる。つまり、実施形態１における「拡大表示」を「輪郭強調表示」と読み替えることで実施可能である。なお、本変形例では、輪郭強調表示は、画像信号における輝度信号の高周波成分を抽出した輪郭強調信号を、輝度信号に加算することによって、画像の輪郭部分（高周波成分）を強調して表示するものである。ただし、これに限らず、輪郭強調表示は、輪郭強調信号に
色を付け画像信号に重畳するなど、その他の輪郭強調表示としてもよい。
【００５１】
以上で説明した変形例１によれば、画像表示装置に入力された画像が撮像装置にてデスクイーズ処理されたアナモ画像である場合において、輪郭強調表示の指示があったら、通知表示を行う。これにより、実施形態１と同様に、ピンボケを見落とす可能性のある画像でのピント確認を防ぎ、ピンボケの見逃しを軽減することができる。
【００５２】
（変形例２）
実施形態１では、アナモフィックレンズで撮影した画像についての例を説明したが、魚眼レンズで撮影した画像についても、同様に実施形態１を適用することが可能である。魚眼レンズで撮影した画像を、通常のレンズで撮影した画像の見え方と同じようにする画像処理を行った場合、画像処理後の画像は伝送規格等と異なるアスペクト比となる。このため、撮像装置が画像処理を行い、その後に画像表示装置に送信する場合は、実施形態１と同様に、伝送規格等のアスペクト比に対応させるために、画像処理後の画像に縮小処理等を施してから送信しなければならない。このような縮小された画像（所定の種類の画像）を画像表示装置で拡大し確認する場合は、実施形態１と同様にピンボケを見逃してしまう可能性がある。そこで、実施形態１と同様に、撮像装置で画像処理が行われ、拡大表示が指示された場合は、通知をすることで、画像のピンボケの見逃しを回避できる。
【００５３】
また、アナモフィックレンズや魚眼レンズで撮影した画像への画像処理に限らず、なにかしらの画像処理を行い、さらに縮小処理（解像度低下処理）を行う処理であれば実施形態１を応用可能である。具体的には、入力画像信号に「画像処理がされているか否かを示す情報」を付加しすることで、入力画像に当該画像処理が行われているか否かを判定できる。また、「画像処理に必要な情報」が入力画像信号に付加されることで、画像表示装置は、当該画像処理が行われていなければ入力画像に当該画像処理を行うことができる。そして、画像表示装置は、入力画像に当該画像処理が行われており拡大表示の指示があれば通知を行う。このように、撮像装置において画像の縮小処理を含む画像処理が行われる可能性がある場合は、実施形態１を適用することができ、同様に画像のピンボケの見逃しを回避する効果がある。
【００５４】
（変形例３）
実施形態１では、アナモフィックレンズで撮影されデスクイーズと縮小処理が行われた入力画像に対して上述の処理をしている。しかし、縮小処理（解像度低下処理）のみ行われている入力画像の拡大表示においても通知することが可能である。例えば、入力画像信号を送信する伝送路の通信速度が遅いため、撮像装置が画像の縮小を行う場合などに有効である。
【００５５】
本変形例の画像表示装置６００の構成は図６である。画像表示装置６００は、ＩＦ部２０１、付加情報抽出部６０２、処理判定部６０３、処理指示部２０５、指示制御部２０６、通知表示判定部２０７、画像制御部６０８、表示制御部２０９、表示部２１０を有する。付加情報抽出部６０２、処理判定部６０３、画像制御部６０８は実施形態１の同名の機能部と処理が異なる。その他の実施形態１の機能部と同名の機能部は処理が同じであるため説明は省略する。以下、実施形態１との差異について説明する。また、本変形例では、入力画像信号に付加されるアンシラリデータに縮小処理情報として入力画像が縮小処理が施されているか否かの情報が含まれるものとする。
【００５６】
付加情報抽出部６０２は、ＩＦ部２０１から入力されたアンシラリデータから、縮小処理情報を抽出する。抽出した縮小処理情報を処理判定部６０３へ出力する。また、付加情報抽出部６０２は、入力画像を画像制御部６０８へ出力する。
【００５７】
処理判定部６０３は、付加情報抽出部６０２から入力された縮小処理情報を基に、入力画像が撮像装置１０１にて縮小処理された画像（所定の種類の画像）か否かを判定する。処理判定部６０３は、縮小処理された撮影画像である場合は、処理完了情報を通知表示判定部２０７へ出力する。
【００５８】
画像制御部６０８は、指示制御部２０６から拡大制御情報が入力された場合、拡大制御情報を基に入力画像の拡大処理を施す。そして、拡大処理を施した画像を表示制御部２０９へ出力する。また、画像制御部６０８は、通知表示判定部２０７から通知指示情報が入力された場合、ユーザに通知を示す通知画像を、ＯＳＤにより重畳する。このとき、通知表示判定部２０７から通知指示情報が入力されている場合は、指示制御部２０６から拡大制御情報も入力されているので、拡大処理を施した画像に通知を示す通知画像を重畳する。ここで、例えば、通知画像として「カメラで縮小処理をされている」、「カメラでの縮小機能の停止」を促す画像などがある。
【００５９】
以上によれば、片方向通信で接続された撮像装置において縮小処理（解像度低下処理）された画像を画像表示装置にて拡大表示を行う場合に、ユーザは通知により縮小処理が施された画像であることを知ることができる。これにより、撮像装置において縮小処理のみが施された入力画像であっても実施形態１と同様の効果を得ることができる。
【００６０】
（変形例４）
実施形態１では、入力画像に解像度の低下が行われていれば、画像表示装置は通知を行っている。しかし、解像度の低下が行われている場合に限らず、解像感の低下が行われている場合に通知がされてもよい。ここで、解像感とは、画像における解像度、エッジ、ボケ具合等から総合的に決定される鮮明さのことを表現している。すなわち、解像感の低下処理には、解像度、エッジ、ボケ具合等のパラメータのいずれかが調整される処理が含まれる。具体的には、解像感の低下の処理には、画像に対する解像度低下処理やモザイク処理、画像圧縮処理、ローパスフィルタ処理などがある。この解像感の低下処理が行われた画像（所定の種類の画像）は、処理が行われなかった場合の画像よりも荒い画像となるためピンボケが発見しにくい。したがって、このような解像感の低下が行われた画像が入力された場合においても、通知を行うことで、ユーザの画像のピンボケの見逃しを防ぐことができる。
【００６１】
（変形例５）
実施形態１では、ユーザへの通知を図４のような通知画像を入力画像と重畳させることで行ったが、通知画像は、グラフィカルユーザインターフェース画像（ＧＵＩ画像）であってもよい。ＧＵＩ画像は、ユーザが実行の要否を選択可能な画像であり、例えば、図７に示すＧＵＩ画像７００である。図７は、デスクイーズされた縮小画像であることが通知され、ユーザが指示した拡大表示を実行するか否かを選択可能な画像である。
【００６２】
図８は変形例５に係る画像表示装置の処理のフローを示す図である。Ｓ５０１，Ｓ５０２，Ｓ５０６〜Ｓ５１０は実施形態１の処理フローと同じであるため説明は省略する。実施形態１と同様に撮像装置でデスクイーズされた入力画像に対して、拡大表示の指示が入力されるかを判定する（Ｓ５０３）。この拡大表示の指示が入力されると、入力画像と図７のようなＧＵＩ画像７００とが重畳された画像（表示画像）が生成されて、画像表示装置の画面に通知される（Ｓ５０５）。ユーザは通知されたＧＵＩ画像７００において拡大表示の実行の要否を選択する（Ｓ８０１）。ユーザが拡大表示を実行を望む場合、ボタン７０１の「はい」を選択する（Ｓ８０１ＹＥＳ）ことで、拡大表示が実行される（Ｓ５０４）。ユーザが拡大表示を実行を望まない場合は、ボタン７０２の「いいえ」を選択する（Ｓ８０１ＮＯ）ことで、拡大表示は実行されない（Ｓ５１０）。なお、拡大表示の処理に関わらず、輪郭強調処理（エッジ強調処理）であってもよい。
【００６３】
以上によれば、撮像装置でデスクイーズされた入力画像のピント確認に関連する以外の用途で、拡大表示を行いたい場合であっても、ユーザの意思に応じて拡大処理を行い確認することができる。
【００６４】
なお、上記の実施形態や各変形例の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ＡＳＩＣ、ＦＰＧＡ、ＤＳＰなどのハードウェアによって実現されてもよいし、そうでなくてもよい。例えば、装置が、プロセッサーと、制御プログラムが格納されたメモリとを有していてもよい。そして、装置が有する少なくとも一部の機能部の機能が、プロセッサーがメモリから制御プログラムを読み出して実行することにより実現されてもよい。
【００６５】
（その他の実施形態）
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
２０１  ＩＦ部
２０３  処理判定部
２０７  通知表示判定部
２０８  画像制御部
【図１】
2019124832.tif 000003
【図２】
2019124832.tif 000004
【図３】
2019124832.tif 000005
【図４】
2019124832.tif 000006
【図５】
2019124832.tif 000007
【図６】
2019124832.tif 000008
【図７】
2019124832.tif 000009
【図８】
2019124832.tif 000010